(57)【特許請求の範囲】
【請求項１】
裏板のスリットに爪を嵌合して装着されるフィルターの上方で、且つ裏板の外周上に沿って嵌合し位置する操作パネルの一部にフィルター固定溝を設け、このフィルター固定溝にしゅう動自在なつまみを設け、このつまみが操作パネルの外周より引出された位置で止まるとき、フィルターの外周の一部を下方へ押さえるようにした温風暖房機のフィルター。
【請求項２】
つまみは、操作パネルの溝内にスプリングを介して装着され、前記スプリングが圧縮される方向に前記つまみを押したときフィルターの固定が解除される請求項１記載の温風暖房機のフィルター。
【請求項３】
つまみの先端部は、その下面から上面に向かってフィルター装着面とは反対方向に傾斜した請求項１記載の温風暖房機のフィルター。
【発明の詳細な説明】
【０００１】
【発明の属する技術分野】
本発明は温風暖房機のフィルターに関する。
【０００２】
【従来の技術】
従来の温風暖房機のフィルターは、裏板に装着したままのものがほとんどであり、図６に示すようにねじ２１で裏板に固定されたものであった。
【０００３】
【発明が解決しようとする課題】
上記構成において、安全性にまつわるトラブルをさけるため、また、温風暖房機としての機能を十分に維持するためには定期的な点検と手入れが必要である。
【０００４】
またこれらのフィルターは、手入れの時以外でも、子供のいたずら等で簡単に取り外せるものが多く、この時フィルターを装着している裏板に設けた孔部に指等を入れけがをする恐れがあった。
【０００５】
また図６に示すようにフィルターをねじ止めして安全面に配慮しているものもあるが、いざ外そうとするとねじをゆるめるのに以外と手間がかかるものであった。
【０００６】
【課題を解決するための手段】
この課題を解決するために、本発明は、裏板の外周上の操作パネルの一部に設けたフィルター固定溝につまみを挿入し、しゅう動させ、フィルターの装着時にはフィルターの上面部でつまみを押し付けながら裏板に取り付け、取外しはつまみをワンプッシュすることで可能にしたものである。
【０００７】
【発明の実施の形態】
請求項１記載の発明では、裏板のスリットに爪を嵌合して装着されるフィルターの上方で、且つ裏板の外周上に沿って嵌合し位置する操作パネルの一部にフィルター固定溝を設け、このフィルター固定溝にしゅう動自在なつまみをスプリングを設け、このつまみが操作パネルの外周より外出された位置で止まるとき、前記フィルターの外周の一部を下方へ押さえるようにしたものである。
【０００８】
そして、フィルター固定溝につまみを収納してフィルターを裏板に取り付け、フィルター上部へ当接するようにつまみを引出し、フィルターの上方への抜けを防止して固定する。
【０００９】
また、請求項２記載の発明では、つまみは、操作パネルのフィルター固定溝内にスプリングを介して装着され、スプリングが圧縮される方向につまみを押したときフィルターの固定が解除される。そして、フィルターをスプリングの付勢力に勝ってつまみを押し付けながらスリットに爪をはめ込むと、つまみがスプリングの付勢力によってフィルター上端の上を外側に飛び出し、フィルターの上方への動きを止めて固定ができる。
【００１０】
さらに、請求項３記載の発明によれば、つまみの先端部は、その下面から上面に向かってフィルター装着面とは反対方向に傾斜したものである。そして、この傾斜面を設けたことで、フィルターとつまみの摺動する摩擦面積が減少してスムーズに嵌合できる。
【００１１】
以下、本発明の実施例について図面を参照して説明する。
（実施例１）
図１、図２は本発明の実施例１のガス燃焼の温風暖房機の外観図である。図１において、１は機器上面の操作盤Ｐを有する操作パネル、２は複数箇所に吸気孔を有する裏板であり、その背面には防塵用のフィルター３が装着されている。４は前板であり、その下部には温風の吹き出し口５が装着されている。また６は架台である。
【００１２】
また機器の内部には図示はしていないが、室内空気を吸入してバーナーで加熱する熱交換機、室内空気を循環する送風ファン、機器を制御する電装基板等が装着されている。
【００１３】
操作パネル１の後面下部にはフィルター固定溝１ａを備え、このフィルター固定溝１ａにスプリング１０を付勢しつまみ９を嵌合する。図４、図５にその詳細図を示す。
【００１４】
機器を運転することにより吸引される室内空気７は、フィルター３を通りバーナーで熱交換され、吹き出し口５より温風８となり吐出される。この空気７の流れの過程における塵やほこりは一部フィルター３で除去され、付着していく。その付着量が増加していくと、燃焼に必要な空気の供給が妨げられ機器の本来の性能が損なわれトラブルの原因となる。そのため、付着した塵やほこりの除去作業が必要になる。そこでフィルター３の取外し、装着作業が求められる。
【００１５】
図２〜図５を用いてその作業方法を説明する。
機器に装着されたフィルター３を取外す場合は、図４に示すように、まず、つまみ９の凸部９ａを矢印Ｂ方向に押し、先端部９ｂが操作パネル１の外周とほぼ同じ面になった時、フィルター３の上部３ａを矢印Ｃ方向に引っ張る。そうするとフィルター３の引っ掛け爪３ｂが、裏板２のフィルター固定孔２ａより外れるため、フィルター３の取外しができる。
【００１６】
次にフィルター３の装着方法について説明する。図５に示すようにフィルター３の引っかけ爪３ｂを裏板２のフィルター固定孔２ａに差し込むと同時にフィルター３の背面部３ｃでつまみ９の先端部９ｂを矢印Ｂ方向に押しつけ、さらにフィルター３を矢印Ｄ方向に下げる。
【００１７】
つまり、このときフィルター３を押す力はＢとＤの合成であるＡとなりこのＡの力でフィルター３を嵌合していく。そうするとフィルター３の上部３ａがつまみ９の先端部９ｂより外れ、つまみ９はスプリング１０の反発力で元に戻り、図４に示す状態で落ち着きフィルター３の装着が完了する。
【００１８】
【発明の効果】
以上の説明から明らかなように本発明の温風暖房機のフィルターによれば、次の効果が得られる。
【００１９】
フィルターの着脱がワンタッチで行うことができ、手入れ性が向上する。
またロック機構が操作パネルと一体になっているので、これまでのようにねじ等を紛失するようなことはなく、必ずフィルターの固定ができ安全性の確保が図れる。
【００２０】
さらに、つまみの先端部は一部面が傾斜しているため、操作パネル部でしゅう動する場合、その抵抗が緩和されスムーズな動きがとれる。
【図面の簡単な説明】
【図１】本発明の実施例１における温風暖房機のフィルターを示す外観斜視図
【図２】同温風暖房機のフィルターの背面斜視図
【図３】同温風暖房機のフィルターの側面図
【図４】同温風暖房機のフィルターの部分断面図
【図５】同温風暖房機のフィルターの別の部分断面図
【図６】従来の温風暖房機のフィルターを示す外観図
【符号の説明】
１  操作パネル
１ａ  フィルター固定溝
２  裏板
２ａ  フィルター固定孔
３  フィルター
３ｂ  引っ掛け爪
９  つまみ
９ｂ  先端部
１０  スプリング
【図１】
0003777715.tif 000002
【図２】
0003777715.tif 000003
【図３】
0003777715.tif 000004
【図４】
0003777715.tif 000005
【図５】
0003777715.tif 000006
【図６】
0003777715.tif 000007